(57)【要約】【課題】印刷物の仕分け作業を不要にすることによって印刷物を取りに来たユーザーの利便性を向上させる。【解決手段】画像形成装置は、印刷ジョブを実行する印刷部と、印刷ジョブの実行要求を受信する通信部と、予め登録されたユーザーの顔画像を記憶する記憶部と、画像形成装置の近傍に存在するユーザーを撮影するカメラと、要求ユーザーを認識するとともに、カメラが撮影した撮影画像と記憶部に記憶された顔画像とに基づき画像形成装置の近傍に存在するユーザーを特定し、特定したユーザーが要求ユーザーであると判断したとき、要求ユーザーが実行を要求した印刷ジョブを印刷部に開始させる制御部と、を備える。【選択図】図４
2018124472.tif 000002
【特許請求の範囲】
【請求項１】
用紙に画像を印刷し印刷物を排出する印刷ジョブを実行する印刷部と、
ユーザーが使用するユーザー端末から印刷ジョブの実行要求を受信する通信部と、
予め登録されたユーザーの顔画像を記憶する記憶部と、
画像形成装置の近傍に存在するユーザーを撮影するカメラと、
印刷ジョブの実行を要求した要求ユーザーを認識するとともに、前記カメラが撮影した撮影画像と前記記憶部に記憶された前記顔画像とに基づき前記画像形成装置の近傍に存在するユーザーを特定するユーザー特定処理を行い、前記ユーザー特定処理によって特定したユーザーが前記要求ユーザーであると判断したとき、前記要求ユーザーが実行を要求した印刷ジョブを前記印刷部に開始させる制御部と、を備えることを特徴とする画像形成装置。
【請求項２】
前記画像形成装置の近傍におけるユーザーの存在を検知する人体検知部を備え、
前記制御部は、前記通信部が印刷ジョブの実行要求を受信して以降、前記人体検知部の検知結果に基づき前記画像形成装置の近傍にユーザーが存在すると判断したとき、前記カメラに撮影を行わせることを特徴とする請求項１に記載の画像形成装置。
【請求項３】
前記画像形成装置の本体の底部に連結された回転台を含み、前記回転台を回転させることによって前記画像形成装置の本体の向きを変更する回転装置を備え、
前記カメラは、前記画像形成装置の本体に設置されており、
前記制御部は、前記人体検知部の検知結果に基づき前記画像形成装置の近傍に存在するユーザーの存在位置を認識し、前記回転装置を制御することにより、前記画像形成装置の近傍に存在するユーザーが前記カメラの撮影範囲に入るように前記画像形成装置の本体の向きを調整することを特徴とする請求項２に記載の画像形成装置。
【請求項４】
前記カメラは、前記画像形成装置の本体の正面前方が撮影範囲となるよう前記画像形成装置の本体に設置されることを特徴とする請求項３に記載の画像形成装置。
【発明の詳細な説明】
【技術分野】
【０００１】
本発明は、用紙に画像を印刷し印刷物を排出する印刷ジョブの実行が可能な画像形成装置に関する。
【背景技術】
【０００２】
従来、人感センサーが設置された画像形成装置が知られている。画像形成装置に人感センサーを設置した場合には、画像形成装置の近傍におけるユーザーの存在を検知することができる。人感センサーが設置された画像形成装置は、たとえば、特許文献１に開示されている。
【０００３】
特許文献１の画像形成装置は、電力供給モードとして、通常モードと、通常モードよりも消費電力を抑制するスリープモードとを搭載する。そして、この画像形成装置は、スリープモードのとき、人感センサーの検知結果に基づき画像形成装置の近傍にユーザーが存在すると判断したとき（画像形成装置にユーザーが近づいたとき）、スリープモードから通常モードに復帰する。これにより、ユーザーからすると、画像形成装置をスリープモードから復帰させるための操作を行わなくても、画像形成装置がスリープモードから復帰するので、利便性が良い。
【先行技術文献】
【特許文献】
【０００４】
【特許文献１】特開２０１３−５４３２０号公報
【発明の概要】
【発明が解決しようとする課題】
【０００５】
画像形成装置をプリンターとして使用する場合、ユーザー端末（パーソナルコンピューター）から画像形成装置に対して印刷ジョブの実行を要求した後、印刷ジョブの実行によって得られた印刷物（画像形成装置の排出トレイに排出された印刷物）を取りに行く必要がある。しかし、ユーザーによっては、画像形成装置の排出トレイに印刷物が排出されているにもかかわらず、印刷物を放置する場合がある。
【０００６】
仮に、先行印刷ジョブの印刷物が排出トレイに排出されたまま後行印刷ジョブが実行されると、先行印刷ジョブの印刷物と後行印刷ジョブの印刷物とが排出トレイに混在した状態になる。この場合には、先行印刷ジョブの印刷物と後行印刷ジョブの印刷物とを仕分ける作業を行わなければならないので、印刷物を取りに来たユーザーの利便性が低下する。
【０００７】
たとえば、画像形成装置が印刷ジョブの実行要求を受けて以降、印刷ジョブの実行を要求した要求ユーザーが画像形成装置に近づいてから（要求ユーザーが印刷物を取りに来てから）、要求ユーザーが実行を要求した印刷ジョブを開始すれば、複数回分の印刷ジョブの印刷物が排出トレイに混在するのを抑制することができる。言い換えると、要求ユーザーが画像形成装置に近づくまで、要求ユーザーが実行を要求した印刷ジョブを開始しなければよい。
【０００８】
ここで、特許文献１のように画像形成装置に人感センサーを設置すれば、画像形成装置にユーザーが近づいたか否かを判断することができる。しかし、画像形成装置に近づいたユーザーが印刷ジョブの実行を要求した要求ユーザーであるか否かまでは判断することができない。すなわち、印刷ジョブの実行を要求した要求ユーザーが画像形成装置に近づいてから印刷ジョブを開始するという制御を行うことができない。
【０００９】
本発明は、上記課題を解決するためになされたものであり、印刷物の仕分け作業を不要にすることによって印刷物を取りに来たユーザーの利便性を向上させることが可能な画像形成装置を提供することを目的とする。
【課題を解決するための手段】
【００１０】
上記目的を達成するために、本発明の画像形成装置は、用紙に画像を印刷し印刷物を排出する印刷ジョブを実行する印刷部と、ユーザーが使用するユーザー端末から印刷ジョブの実行要求を受信する通信部と、予め登録されたユーザーの顔画像を記憶する記憶部と、画像形成装置の近傍に存在するユーザーを撮影するカメラと、印刷ジョブの実行を要求した要求ユーザーを認識するとともに、カメラが撮影した撮影画像と記憶部に記憶された顔画像とに基づき画像形成装置の近傍に存在するユーザーを特定するユーザー特定処理を行い、ユーザー特定処理によって特定したユーザーが要求ユーザーであると判断したとき、要求ユーザーが実行を要求した印刷ジョブを印刷部に開始させる制御部と、を備える。
【００１１】
本発明の構成では、画像形成装置の近傍に存在するユーザーを撮影するカメラを備えるので、画像形成装置の近傍に存在するユーザーを特定するユーザー特定処理を制御部に行わせることができ、画像形成装置の近傍に存在するユーザーが印刷ジョブの実行を要求した要求ユーザー（印刷物を取りに来たユーザー）であるか否かを制御部に判断させることができる。
【００１２】
画像形成装置の近傍に存在するユーザー（ここでは、便宜上、第１ユーザーと称する）が要求ユーザーであると制御部が判断したとき、すなわち、第１ユーザーが印刷物を取りに来たとき、第１ユーザーが実行を要求した印刷ジョブを印刷部が開始する。ここで、第１ユーザーとは別のユーザー（ここでは、便宜上、第２ユーザーと称する）が印刷ジョブの実行を要求していたとしても、第２ユーザーが印刷物を取りに来るまでは、第２ユーザーが実行を要求した印刷ジョブは開始されない。したがって、第１ユーザーが印刷物を取りに来たときには、第１ユーザーが実行を要求した印刷ジョブの印刷物だけが排出された状態となる。これにより、印刷物の仕分け作業が不要となるので、印刷物を取りに来たユーザーの利便性が向上する。
【００１３】
また、本発明の構成では、要求ユーザーが印刷物を取りに来たとき、要求ユーザーが実行を要求した印刷ジョブが自動的に開始されるので、要求ユーザーが何らかの操作を行う必要はない。
【発明の効果】
【００１４】
本発明の構成では、印刷物の仕分け作業を不要にすることによって印刷物を取りに来たユーザーの利便性を向上させることができる。
【図面の簡単な説明】
【００１５】
【図１】本発明の一実施形態による画像形成装置の全体構成を示す図
【図２】本発明の一実施形態による画像形成装置を上方から見た場合の図
【図３】本発明の一実施形態による画像形成装置のハードウェア構成を示す図
【図４】本発明の一実施形態による画像形成装置が印刷ジョブの実行要求を受けて以降に制御部によって行われる処理の流れを示すフローチャート
【図５】本発明の一実施形態による画像形成装置の制御部によって行われる向き調整処理について説明するための図
【発明を実施するための形態】
【００１６】
＜装置構成＞
図１に示すように、本実施形態の画像形成装置１００は、画像読取部１および印刷部２を備える。画像読取部１および印刷部２は、画像形成装置１００の本体１００Ｍに設置される。画像読取部１は、原稿を光学的に読み取り原稿の画像データを生成する。印刷部２は、用紙Ｐに画像を印刷し、印刷物を排出トレイＥＴに排出する印刷ジョブを実行する。
【００１７】
印刷部２は、給紙部２１、画像形成部２２および定着部２３を備える。給紙部２１は、ピックアップローラーおよび給紙ローラー対を含み、用紙カセットＣＡから用紙搬送路ＰＰに用紙Ｐを給紙する。なお、用紙搬送路ＰＰには搬送ローラー対が設けられ、用紙搬送路ＰＰに給紙された用紙Ｐは搬送ローラー対によって搬送される。
【００１８】
画像形成部２２は、用紙Ｐに印刷すべき画像の画像データに基づきトナー像を形成し、搬送中の用紙Ｐにトナー像を転写（印刷）する。定着部２３は、トナー像が転写された用紙Ｐを加熱および加圧することによって用紙Ｐにトナー像を定着させる。
【００１９】
また、画像形成装置１００は、操作パネル３を備える。操作パネル３は、画像形成装置１００の本体１００Ｍの正面に設置される。操作パネル３は、タッチパネルディスプレイおよびハードウェアキーを含む。そして、操作パネル３は、設定画面を表示し、ユーザーから各種設定（操作）を受け付ける。また、操作パネル３は、ユーザーに対する報知を行う（報知を行うための画面を表示する）。
【００２０】
ここで、画像形成装置１００は、カメラ４を備える。カメラ４は、図２に示すように、画像形成装置１００の本体１００Ｍの正面前方が撮影範囲（図２では、２点鎖線で示す）となるよう画像形成装置１００の本体１００Ｍの正面に設置される。すなわち、カメラ４は、画像形成装置１００の本体１００Ｍの正面から本体１００Ｍの正面前方の様子を撮影する。たとえば、カメラ４による撮影時に画像形成装置１００の近傍（本体１００Ｍの正面前方）にユーザーが存在する場合には、画像形成装置１００の近傍に存在するユーザーの撮影がカメラ４によって行われる。
【００２１】
なお、画像形成装置１００の近傍に存在するユーザーの撮影が可能であれば、画像形成装置１００の本体１００Ｍからカメラ４を分離してもよい。たとえば、画像形成装置１００が設置された室内の天井にカメラ４を取り付け、画像形成装置１００の本体１００Ｍとカメラ４とをケーブルを介して接続してもよい。
【００２２】
図１に戻って、画像形成装置１００は、人体検知部５を備える。人感検知部５は、画像形成装置１００の近傍におけるユーザーの存在を検知する。たとえば、人体検知部５は、検知範囲が互いに異なる複数の人感センサー５１（図３参照）を含む。人感センサー５１としては、赤外線センサー、可視光センサーおよび超音波センサーなどを用いることができる。
【００２３】
たとえば、人感検知部５は、画像形成装置１００が設置された室内の天井（画像形成装置１００の本体１００Ｍの上方）に取り付けられ、画像形成装置１００の本体１００ＭのＩ／Ｆ部１０にケーブルＣＢを介して接続される。あるいは、画像形成装置１００の本体１００Ｍに人体検知部５が設置されてもよい。
【００２４】
人体検知部５は、画像形成装置１００から所定距離の範囲内にユーザーが入ると、ユーザーの存在を検知したことを示す信号（ユーザー検知信号）を出力する。たとえば、画像形成装置１００から１ｍ程度の範囲内にユーザーが存在する場合にユーザー検知信号を出力するよう人感検知部５の各人感センサー５１の検知範囲が設定される。
【００２５】
また、画像形成装置１００は、回転台６１を含む回転装置６を備える。回転装置６は、画像形成装置１００の本体１００Ｍの底部に設置される。回転装置６の回転台６１は、画像形成装置１００の本体１００Ｍの底部に連結される。回転装置６は、回転台６１をＡ方向（図２参照）に回転させる。回転装置６の回転台６１がＡ方向に回転すると、画像形成装置１００の本体１００ＭもＡ方向に回転するので、画像形成装置１００の本体１００Ｍの向き（カメラ４の撮影方向）が変更される。
【００２６】
また、図３に示すように、画像形成装置１００は、制御部７を備える。制御部７は、ＣＰＵ７１、メモリー７２およびＡＳＩＣ７３を含む。ＣＰＵ７１は、制御用のプログラムおよびデータに基づき、画像形成装置１００の各部の動作を制御するための処理を行う。メモリー７２は、制御用のプログラムおよびデータを記憶する。ＡＳＩＣ７３は、画像処理など特定の処理を行う。
【００２７】
制御部７は、画像読取部１および印刷部２に接続され、画像読取部１の読取動作を制御するとともに、印刷部２の印刷動作（印刷ジョブ）を制御する。また、制御部７は、操作パネル３に接続される。そして、制御部７は、操作パネル３の表示動作を制御するとともに、操作パネル３に対して行われた操作を検知する。
【００２８】
また、制御部７は、カメラ４に接続され、カメラ４の撮影動作を制御する。たとえば、カメラ４は、カメラ制御回路４１を含む。制御部７は、カメラ制御回路４１に対して指示を与え、カメラ４による撮影を適切なタイミングで行わせる。
【００２９】
また、制御部７は、人体検知部５（人感センサー５１）に接続される。そして、制御部７は、人体検知部５の検知結果に基づき、画像形成装置１００の近傍にユーザーが存在するか否か（人感センサー５１の検知範囲にユーザーが入っているか否か）を判断する。言い換えると、制御部７は、画像形成装置１００にユーザーが近づいたか否かを判断する。
【００３０】
さらに、制御部７は、人体検知部５の検知結果に基づき、画像形成装置１００の近傍に存在するユーザーの存在位置を認識する。なお、画像形成装置１００の近傍にユーザーが存在する場合には、検知範囲にユーザーが存在する人感センサー５１だけがユーザー検知信号を出力する。したがって、ユーザー検知信号を出力した人感センサー５１を特定することにより、画像形成装置１００の近傍に存在するユーザーの存在位置を認識することができる。
【００３１】
また、制御部７は、回転装置６に接続され、回転台６１の回転動作を制御する。たとえば、回転装置６は、回転台６１を回転させるモーターＭおよびモーター駆動回路６１を含む。そして、制御部７は、モーター駆動回路６１に対して指示を与え、モーターＭを適切に駆動させる。すなわち、制御部７は、回転台６１を適切に回転させる（画像形成装置１００の本体１００Ｍの向きを制御する）。
【００３２】
画像形成装置１００は、記憶部８および通信部９をさらに備える。記憶部８および通信部９は、制御部７に接続される。
【００３３】
記憶部８は、ＲＯＭ（ＥＥＰＲＯＭなど）やＨＤＤのような不揮発性の記憶デバイスを含む。制御部７は、記憶部８からのデータの読み出しや記憶部８へのデータの書き込みを行う。ここで、記憶部８は、予め登録された登録ユーザー（画像形成装置１００の使用を許可されたユーザーであり印刷ジョブの実行を要求し得るユーザー）の顔画像を登録ユーザーのユーザーＩＤと対応付けて記憶する。たとえば、カメラ４による登録ユーザーの撮影によって得られた登録ユーザーの顔画像が記憶部８に記憶される。なお、画像形成装置１００は複数のユーザーによって使用される。このため、記憶部８に記憶される顔画像は複数存在する。以下の説明では、記憶部８に予め記憶された登録ユーザーの顔画像を基準顔画像と称する場合がある。
【００３４】
通信部９は、画像形成装置１００をＬＡＮなどのネットワークＮＴに接続するためのインターフェースである。ネットワークＮＴには、画像形成装置１００のユーザーにより使用されるユーザー端末２００が接続される。たとえば、ユーザー端末２００は、パーソナルコンピューターである。そして、制御部７は、通信部９を介してネットワークＮＴにアクセスし、ユーザー端末２００との間でデータの送受信を行う。
【００３５】
たとえば、画像形成装置１００がプリンターとして使用される場合には、ユーザー端末２００から画像形成装置１００に対して印刷ジョブの実行要求が送信される（通信部９が印刷ジョブの実行要求を受信する）。ユーザー端末２００から画像形成装置１００に送信される印刷ジョブの実行要求には、印刷ジョブの実行を要求したユーザー（印刷ジョブの実行要求を送信したユーザー端末２００にログインしているユーザー）を示すユーザー情報、用紙Ｐに印刷すべき画像の画像データ、および、印刷ジョブの実行条件などが含まれる。そして、制御部７は、通信部９が印刷ジョブの実行要求を受信すると、印刷部２に印刷ジョブを実行させる。ただし、制御部７は、通信部９が印刷ジョブの実行要求を受信しても、直ぐには印刷部２に印刷ジョブを開始させない。詳細は後述する。
【００３６】
＜印刷ジョブの開始タイミング＞
制御部７は、通信部９が印刷ジョブの実行要求を受信して以降、印刷ジョブの実行を要求したユーザーである要求ユーザーが画像形成装置１００の近傍に存在すると判断したとき（画像形成装置１００に要求ユーザーが近づいたとき）、印刷部２に印刷ジョブを開始させる。すなわち、制御部７は、通信部９が印刷ジョブの実行要求を受信しても、画像形成装置１００の近傍に要求ユーザーが存在しなければ、印刷部２に印刷ジョブを開始させない。
【００３７】
以下に、図４に示すフローチャートを参照し、通信部９が印刷ジョブの実行要求を受信して以降に制御部７が行う処理の流れについて説明する。図４に示すフローチャートは、通信部９が印刷ジョブの実行要求を受信したことを制御部７が検知したときにスタートする。
【００３８】
ステップＳ１において、制御部７は、通信部９が受信した印刷ジョブの実行要求に含まれるユーザー情報に基づき、印刷ジョブの実行を要求した要求ユーザーを認識する。そして、ステップＳ２において、制御部７は、人体検知部５の検知結果に基づき、画像形成装置１００の近傍にユーザーが存在するか否か（画像形成装置１００にユーザーが近づいたか否か）を判断する。その結果、画像形成装置１００の近傍にユーザーが存在すると制御部７が判断した場合には、ステップＳ３に移行する。
【００３９】
ステップＳ３に移行すると、制御部７は、画像形成装置１００の本体１００Ｍの向き（カメラ４の撮影方向）を調整する向き調整処理を行う。向き調整処理を行うとき、制御部７は、人体検知部５の各人感センサー５１のうちいずれがユーザー検知信号を出力したかに基づき、画像形成装置１００の近傍に存在するユーザーの存在位置を認識する。
【００４０】
そして、図５に示すように、制御部７は、画像形成装置１００の近傍に存在するユーザーがカメラ４の撮影範囲に入るように画像形成装置１００の本体１００Ｍの向き（カメラ４の撮影方向）を調整する。このとき、制御部７は、回転装置６のモーターＭの駆動を制御し、回転台６１を回転させる。これにより、画像形成装置１００の本体１００Ｍが回転するので、画像形成装置１００の本体１００Ｍに設置されたカメラ４の撮影方向が変更される。
【００４１】
図５に示す例では、画像形成装置１００の近傍に存在するユーザーはカメラ４の撮影範囲に入っていない（図５の上図参照）。この場合、制御部７は、画像形成装置１００の本体１００Ｍ（回転装置６の回転台６１）をＡ１方向に回転させる。これにより、画像形成装置１００の近傍に存在するユーザーがカメラ４の撮影範囲に入る（図５の下図参照）。
【００４２】
図４に戻り、向き調整処理の後、ステップＳ４において、制御部７は、カメラ４に撮影を行わせる。カメラ４による撮影時には、画像形成装置１００の近傍に存在するユーザーがカメラ４の撮影範囲に入った状態となっている。これにより、画像形成装置１００の近傍に存在するユーザーがカメラ４によって撮影される。
【００４３】
次に、ステップＳ５において、制御部７は、カメラ４による撮影によって得られた撮影画像を取得し、記憶部８に予め記憶された複数の基準顔画像（登録ユーザーの顔画像）と撮影画像とに基づき、画像形成装置１００の近傍に存在するユーザーを特定するユーザー特定処理を行う。このとき、制御部７は、複数の基準顔画像のうち、撮影画像に含まれる顔画像との類似度が予め定められた閾値以上の基準顔画像を抽出する抽出処理を行う。ここでの抽出処理は公知の画像認識技術（顔認識技術）を用いて行われる。そして、制御部７は、抽出処理によって抽出した基準顔画像に対応するユーザーが画像形成装置１００の近傍に存在すると判断する。
【００４４】
その後、ステップＳ６において、制御部７は、画像形成装置１００の近傍に存在するユーザーが要求ユーザー（ステップＳ１で認識したユーザー）であるか否かを判断する。その結果、画像形成装置１００の近傍に存在するユーザーが要求ユーザーであると制御部７が判断した場合には、ステップＳ７に移行し、画像形成装置１００の近傍に存在するユーザーが要求ユーザーではないと制御部７が判断した場合には、ステップＳ２に移行する。そして、ステップＳ７に移行すると、制御部７は、要求ユーザーが実行を要求した印刷ジョブを印刷部２に開始させる。
【００４５】
なお、ステップＳ２において、画像形成装置１００の近傍にユーザーが存在しないと制御部７が判断した場合には、画像形成装置１００の近傍にユーザーが存在するか否かの判断が繰り返され、ステップ３には移行しない。すなわち、制御部７は、通信部９が印刷ジョブの実行要求を受信して以降、画像形成装置１００の近傍にユーザーが存在すると判断するまで、ユーザー特定処理（カメラ４による撮影を含む）を行わない。また、制御部７によるユーザー特定処理が行われなければ、印刷ジョブは開始されない。
【００４６】
本実施形態の画像形成装置１００は、上記のように、用紙Ｐに画像を印刷し印刷物を排出する印刷ジョブを実行する印刷部２と、ユーザーが使用するユーザー端末２００から印刷ジョブの実行要求を受信する通信部９と、予め登録されたユーザーの顔画像を記憶する記憶部８と、画像形成装置１００の近傍に存在するユーザーを撮影するカメラ４と、印刷ジョブの実行を要求した要求ユーザーを認識するとともに、カメラ４が撮影した撮影画像と記憶部８に記憶された顔画像とに基づき画像形成装置１００の近傍に存在するユーザーを特定するユーザー特定処理を行い、ユーザー特定処理によって特定したユーザーが要求ユーザーであると判断したとき、要求ユーザーが実行を要求した印刷ジョブを印刷部２に開始させる制御部７と、を備える。
【００４７】
本実施形態の構成では、画像形成装置１００の近傍に存在するユーザーを撮影するカメラ４を備えるので、画像形成装置１００の近傍に存在するユーザーを特定するユーザー特定処理を制御部７に行わせることができ、画像形成装置１００の近傍に存在するユーザーが印刷ジョブの実行を要求した要求ユーザー（印刷物を取りに来たユーザー）であるか否かを制御部７に判断させることができる。
【００４８】
画像形成装置１００の近傍に存在するユーザー（ここでは、便宜上、第１ユーザーと称する）が要求ユーザーであると制御部７が判断したとき、すなわち、第１ユーザーが印刷物を取りに来たとき、第１ユーザーが実行を要求した印刷ジョブを印刷部２が開始する。ここで、第１ユーザーとは別のユーザー（ここでは、便宜上、第２ユーザーと称する）が印刷ジョブの実行を要求していたとしても、第２ユーザーが印刷物を取りに来るまでは、第２ユーザーが実行を要求した印刷ジョブは開始されない。したがって、第１ユーザーが印刷物を取りに来たときには、第１ユーザーが実行を要求した印刷ジョブの印刷物だけが排出された状態となる。これにより、印刷物の仕分け作業が不要となるので、印刷物を取りに来たユーザーの利便性が向上する。
【００４９】
また、本実施形態の構成では、要求ユーザーが印刷物を取りに来たとき、要求ユーザーが実行を要求した印刷ジョブが自動的に開始されるので、要求ユーザーが何らかの操作を行う必要はない。
【００５０】
また、本実施形態では、上記のように、制御部７は、通信部９が印刷ジョブの実行要求を受信して以降、人体検知部５の検知結果に基づき画像形成装置１００の近傍にユーザーが存在すると判断したとき、カメラ４に撮影を行わせる。この構成では、画像形成装置１００の近傍にユーザーが存在するにもかかわらず当該ユーザーの撮影が行われない、という不都合が発生するのを抑制することができる。
【００５１】
また、本実施形態では、上記のように、制御部７は、人体検知部５の検知結果に基づき画像形成装置１００の近傍に存在するユーザーの存在位置を認識し、回転装置６を制御することにより、画像形成装置１００の近傍に存在するユーザーがカメラ４の撮影範囲に入るように画像形成装置１００の本体１００Ｍの向きを調整する。この構成では、画像形成装置１００の近傍に存在するユーザーを確実に撮影することができる。
【００５２】
また、本実施形態では、上記のように、画像形成装置１００の本体１００Ｍの正面前方が撮影範囲となるよう画像形成装置１００の本体１００Ｍにカメラ４が設置される。ここで、画像形成装置１００の近傍にユーザーが存在する場合には、画像形成装置１００の近傍に存在するユーザーがカメラ４の撮影範囲に入るように画像形成装置１００の本体１００Ｍの向きが調整される。すなわち、画像形成装置１００の本体１００Ｍの正面前方が撮影範囲となるよう画像形成装置１００の本体１００Ｍにカメラ４を設置した構成では、画像形成装置１００の本体１００Ｍの正面が画像形成装置１００の近傍に存在するユーザーに向く。これにより、画像形成装置１００の近傍に存在するユーザーが要求ユーザー（印刷物を取りに来たユーザー）であれば、印刷物が取り出し易くなる。
【００５３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５４】
２  印刷部
４  カメラ
５  人体検知部
６  回転装置
７  制御部
８  記憶部
９  通信部
６１  回転台
１００  画像形成装置
２００  ユーザー端末
【図１】
2018124472.tif 000003
【図２】
2018124472.tif 000004
【図３】
2018124472.tif 000005
【図４】
2018124472.tif 000006
【図５】
2018124472.tif 000007